(57)【要約】      （修正有）【課題】施解錠操作時の施錠機構の作動をよりスムーズにする。【解決手段】錠本体Ａの端面に、内蔵した施錠機構１の鍵穴２を臨ませ、他端面に円筒形の開口部３を設け、錠本体の側面にワイヤーＢの固定端Ｂ’を連結し、ワイヤーの自由端に備えた擬宝珠形の錠杆体５を上記開口部に差し込んで施錠機構に施錠させるようにしたワイヤー錠において、開口部内に円筒体１０を固定し、円筒体両側に設けた孔６に鋼球７を嵌合し、円筒体内にばね受け１１とけりだし用のばね２１を嵌装し、施錠機構の内端に、コイルばね１３と、二股片ａ、ｂを具えた回転レバー１６を嵌装し、施錠状態において、錠杆体の擬宝珠部分９の周溝９’に嵌合する鋼球を回転レバーの二股片の内側面で抑止させる。開錠に際しては、鍵穴に差し込むキーＣの回転操作により上記二股片の内側面に設けた凹部を係合させて錠杆体を開口部外に脱出させるようにしたワイヤー錠を提供する。【選択図】図１
2006037431.tif 000002
【特許請求の範囲】
【請求項１】
施錠機構を内蔵した錠本体の一方の端面に鍵穴を臨ませ、他方の端面に円筒形の開口部を設け、錠本体の側面にワイヤーの固定端を連結し、該ワイヤーの自由端に備えた擬宝珠形の錠杆体を上記錠本体の開口部に差し込んで上記施錠機構に施錠させるようにしたワイヤー錠において、上記錠本体の開口部内に、有底の筒形に形成されて両側に設けた一対の孔に鋼球を嵌合し、内部に、この一対の孔と直交する両側に窓孔を設けて、上記錠杆体の擬宝珠部分を嵌合する円筒体を固定し、この円筒体の上記窓孔に摺動自在に嵌合するフランジ付きばね受けと、円筒体の底部に支承されるけりだし用のばねとを嵌装する一方、前記施錠機構の内端に、コイルばねと、該ばねに常時施錠方向に回転を付勢されて、上記施錠機構の内端の角軸を嵌合し、内端を直径方向で対向する二股片に形成して、この二股片で前記円筒体の鋼球嵌合用の孔を覆う回転レバーを嵌装し、この回転レバーを上記コイルばねに付勢させて、施錠状態においては、前記錠杆体の擬宝珠部分の周溝に嵌合する前記鋼球を上記二股片の内側面で抑止させて擬宝珠部分の脱出を阻止し、開錠に際しては、前記鍵穴に差し込まれるキーの回転操作により上記コイルばねの付勢に抗して二股片の内側面の凹部を係合させて上記鋼球から上記周溝を脱しさせ、前記けりだし用のばねとばね受けとに付勢させて前記錠杆体を錠本体の開口部外に脱出させるように構成したワイヤー錠。
【発明の詳細な説明】
【技術分野】
【０００１】
本発明は、主として自転車用いられるワイヤー錠に関し、ワイヤーの自由端部に備えた錠杆体を施錠孔へのワンタッチの挿入操作で錠本体に施錠させ、開錠時には、鍵穴へのキーの挿入と所定方向への若干の回転操作とによって、錠杆体を錠本体外にけり出させるようにしたことを特長とする。
【背景技術】
【０００２】
ワイヤー錠において、ワイヤーの固定端部を錠本体の一方の端部側面に備え、他端部の側面に設けた施錠孔に、上記ワイヤーの自由端部に設けた錠杆部を施錠させるようにしたものには、例えば、本出願人の先願に特許文献１がある。また、自転車のシートポストにホルダーを取り付けて、このホルダーに固定した錠本体の側面にワイヤーの固定端部を連結し、他端部に備えた鍵穴付きの錠機構と本体内に備えた錠機構とを施錠させるようにしたものには、特許文献２がある。
さらに、施錠機構を内蔵した錠本体の側面の一方にワイヤーの固定端部を連結し、錠本体の他方の側面に開口する施錠孔内に、けりだし用ばねとばね受けと施錠孔内に弾性的に臨出する作動片とを備えて、ワイヤーの自由端部に備えた擬宝珠形の施錠杆を、施錠孔に対するワンタッチの挿入操作で施錠させるようにしたものには、特許文献３がある。
【０００３】
【特許文献１】特開２００２−４７８４６公報（例えば、第１頁、図１参照）
【特許文献２】特開平９−１６４９８２号公報（例えば、第１頁、図１参照）
【特許文献３】特開平６−６７７５３号公報（例えば、第１頁、図１参照）
【０００４】
特許文献１の自転車用錠は、一方の端面に鍵穴を臨ませて施錠機構を内蔵した錠本体にエラストマー製のカバーを被覆したことを特長とするもので、施錠機構自体は本発明の構造とは相違する。特許文献２のワイヤー錠は、自転車に取り付けたホルダーに錠本体を固定的に保持させて自転車と一体に携行できる利点があるが、その施錠機構自体は本発明の構造とは相違する。また、特許文献３のワイヤー錠は、回転リング式の施錠機構を採用しているので、この先行文献も本発明の施錠機構と相違する。
【発明の開示】
【発明が解決しようとする課題】
【０００５】
本発明が解決しようとする問題点は、開錠操作時、施錠操作時の施錠機構の作動をよりスムーズにワンタッチ乃至はワンタッチに近い操作でできるようにすることにある。
【課題を解決するための手段】
【０００６】
そこで本発明は、上記の課題を解決するために、施錠機構を内蔵した錠本体の一方の端面に鍵穴を臨ませ、他方の端面に円筒形の開口部を設け、錠本体の側面にワイヤーの固定端を連結し、該ワイヤーの自由端に備えた擬宝珠形の錠杆体を上記錠本体の開口部に差し込んで上記施錠機構に施錠させるようにしたワイヤー錠において、上記錠本体の開口部内に、有底の筒形に形成されて両側に設けた一対の孔に鋼球を嵌合し、内部に、この一対の孔と直交する両側に窓孔を設けて、上記錠杆体の擬宝珠部分を嵌合する円筒体を固定し、この円筒体の上記窓孔に摺動自在に嵌合するフランジ付きばね受けと、円筒体の底部に支承されるけりだし用のばねとを嵌装する一方、前記施錠機構の内端に、コイルばねと、該ばねに常時施錠方向に回転を付勢されて、上記施錠機構の内端の角軸を嵌合し、内端を直径方向で対向する二股片に形成して、この二股片で前記円筒体の鋼球嵌合用の孔を覆う回転レバーを嵌装し、この回転レバーを上記コイルばねに付勢させて、施錠状態においては、前記錠杆体の擬宝珠部分の周溝に嵌合する前記鋼球を上記二股片の内側面で抑止させて擬宝珠部分の脱出を阻止し、開錠に際しては、前記鍵穴に差し込まれるキーの回転操作により上記コイルばねの付勢に抗して二股片の内側面の凹部を係合させて上記鋼球から上記周溝を脱しさせ、前記けりだし用のばねとばね受けとに付勢させて前記錠杆体を錠本体の開口部外に脱出させるように構成したワイヤー錠を提供するものである。
【発明の効果】
【０００７】
本発明に係るワイヤー錠は、擬宝珠形の錠杆部の後退を阻止して施錠状態を維持する部材に鋼球を使用したので、開錠操作時、施錠操作時の施錠機構の作動がスムーズである。
本発明に係るワイヤー錠の施錠操作は、錠本体の端面部に大きく開口する開口部に、擬宝珠形の錠杆部を挿入するというワンタッチの操作によりできる。また、開錠操作は、錠本体の他端面に臨む鍵穴にキーを差し込んで一方に若干回すという簡単な操作で、錠杆部が、内部のばねとばね受けに付勢されて開口部外にけりだされ、施錠状態を維持していた鋼球は、擬宝珠部と入れ替わりに窓孔内を前進するばね受けの側面により飛び出しを抑制されて、次の施錠操作を待機する。
【発明を実施するための最良の形態】
【０００８】
本発明に係るワイヤー錠は、施錠機構を内蔵した錠本体の一方の端面に鍵穴を臨ませ、他方の端面に円筒形の開口部を設け、錠本体の側面にワイヤーの固定端を連結し、ワイヤーの自由端に備えた擬宝珠形の錠杆体を錠本体の開口部に差し込んで上記施錠機構に施錠させるようにしたワイヤー錠において、
錠本体の開口部内に、有底の筒形に形成されて両側に設けた一対の孔に鋼球を嵌合し、内部に、この一対の孔と直交する両側に窓孔を設けて、上記錠杆体の擬宝珠部分を嵌合する円筒体を固定する。
円筒体の窓孔に摺動自在に嵌合するフランジ付きばね受けと、円筒体の底部に支承されるけりだし用のばねとを嵌装する。
施錠機構の内端に、コイルばねと、該ばねに常時施錠方向に回転を付勢されて、施錠機構の内端の角軸を嵌合し、内端を直径方向で対向する二股片に形成して、この二股片で前記円筒体の鋼球嵌合用の孔を覆う回転レバーを嵌装する。
施錠状態においては、コイルばねに付勢される回転レバーの二股片の内側面で、錠杆体の擬宝珠部分の周溝に嵌合する鋼球を抑止させて擬宝珠部分の脱出を阻止する。
開錠に際しては、鍵穴に差し込んだキーの回転操作により、コイルばねの付勢に抗して二股片の内側面の凹部を係合させて擬宝珠部分の周溝を鋼球から脱しさせ、けりだし用のばねとばね受けとに付勢させて錠杆体を錠本体の開口部外にけりださせるように構成したワイヤー錠である。
【実施例】
【０００９】
以下に、本発明の実施例を図面について説明する。
図１は、実施例の分解斜視図、
図２は、施錠状態の一部切欠側面図、
図３は、同上の左側面図、
図４は、実施例の開錠状態を示す一部切欠側面図、
図５は、同上の一部切欠左側面である。
【００１０】
図において、Ａは錠本体、Ｂはワイヤー、Ｃはキーである。
錠本体Ａは、施錠機構１を内蔵し、一方の端面（図示右端）に鍵穴２を臨ませ、他方の端面に円筒形の開口部３を設け、ワイヤーＢは、錠本体Ａのほぼ中央部の側面に固定端Ｂ’をピンヒンジ４で連結し、他端の自由端にピンヒンジ４を介して擬宝珠形の錠杆体５を連結する。
【００１１】
錠本体Ａの開口部３内には、図１に示すように、有底の筒形に形成されて両側に設けた一対の円形の孔６に鋼球７をそれぞれ嵌合し、内部に、この一対の円形孔６と直交する両側に窓孔８を設けて、上記錠杆体５の擬宝珠部分９を嵌合する円筒体１０を固定する。
円筒体１０は、上記窓孔８の内側に、フランジ付きばね受け１１を摺動自在に嵌合し、このばね受け１１と底部とに支承させてけりだし用のばね２１を嵌装する。
【００１２】
錠本体Ａは、施錠機構１の内端（図示左端）に、コイルばね１３と、該ばね１３に常時施錠方向（図１において時計回り）に回転を付勢されて、底部中央に設けた角穴１４に、施錠機構１の内端の角軸１５を嵌合し、内端に直径方向に対向する二股片ａ、ｂを具えた有底円筒状の回転レバー１６を回転自在に嵌装している。
回転レバー１６の二股片ａ、ｂは、円筒体１０の外側に嵌合して、円筒体１０の鋼球嵌合用の孔６を覆う。
【００１３】
図２、３に示す施錠状態において、錠本体Ａの開口部３に差し込んだ錠杆体５の擬宝珠部分９は、その挿入動作により、けりだし用のばね２１に抗してフランジ付きばね受け１１を押し込む。この擬宝珠部分９の挿入とばね受け１１の後退と共に回転レバー１６はコイルばね１３の付勢により時計回りに回転して施錠位置に達する一方で、図３に示すように鋼球７を擬宝珠部分９の周溝９’内に押し込む。
すなわち、上記回転レバー１６は、施錠方向の回転により二股片ａ、ｂの内側面で、錠杆体５の擬宝珠部分９の周溝９’に嵌合している鋼球７を外側から抑止して、錠杆体５の脱出を阻止し、施錠状態を維持する。なお、施錠状態においては、キーＣが携行可能に鍵穴から抜き出せることは通常のワイヤー錠の場合と同じである。
【００１４】
図２に示す施錠状態において、キーＣをコイルばね１３の付勢に抗して若干時計回りに回すと（図３参照）、外側から鋼球７を抑止していた回転レバー１６も同方向に回転し、図４に示すように、二股片ａ、ｂの内側面にそれぞれ設けた凹部１６’が鋼球７の嵌合位置に入れ替わって抑止を開放する。
鋼球７の抑止開放にともなって、錠杆体５の擬宝珠部分９には、けりだし用ばね２１の付勢が作用し、フランジ付きばね受け１１に押されて開口部３外に飛び出す。
この擬宝珠部分９がけりだされるのと入れ替わりに鋼球７には、ばね受け１１の側面が接して孔６の外に出ることはなく、次ぎに錠杆体５の擬宝珠部分９が挿入されることを待機している。
【００１５】
なお、図中、１７は錠杆体５のピンヒンジ４部分を覆う半割形の樹脂製カバー、１８、１９は錠本体Ａの前後に弾性的に嵌着した同じく樹脂製のカバー、２０は錠本体Ａに施錠機構１を回転止めするピンである。また、この実施例は施錠機構１に公知のシリンダー錠機構を用い、キーＣにはディンプルキーを用い、回転レバー１６を施錠方向に付勢するコイルばね１３は、一端を施錠機構１に、他端を回転レバー１６の端面に掛止させている。
【産業上の利用可能性】
【００１６】
本発明に係るワイヤー錠は、主として自転車用に用いられるが、その用途は二輪車用に限らない。
【図面の簡単な説明】
【００１７】
【図１】実施例の分解斜視図である。
【図２】施錠状態の一部切欠側面図である。
【図３】同上の左側面図である。
【図４】実施例の開錠状態を示す一部切欠側面図である。
【図５】同上の一部切欠左側面である。
【符号の説明】
【００１８】
Ａ  錠本体
Ｂ  ワイヤー  （Ｂ’  固定端部）
Ｃ  キー
１  施錠機構
２  鍵穴
３  開口部
４  ヒンジピン
５  錠杆体
６  孔
７  鋼球
８  窓孔
９  擬宝珠部分  （９’  周溝）
１０  円筒体
１１  弾性的挟持部
１２  フランジ付きばね受け
１３  コイルばね
１４  角孔
１５  角軸
１６  回転レバー  （１６’  凹部）
１７、１８  カバー
１９  カバー
２０  ピン
２１  けりだし用のばね
【図１】
2006037431.tif 000003
【図２】
2006037431.tif 000004
【図３】
2006037431.tif 000005
【図４】
2006037431.tif 000006
【図５】
2006037431.tif 000007